(57)【特許請求の範囲】
【請求項１】
ケーシングと、
前記ケーシングから進退自在に設けられ、噴出口から水を噴射して使用者の身体を洗浄する洗浄ノズルと、
前記洗浄ノズルを前記進退させ、前記洗浄ノズルが前記ケーシングから進出した動作位置にある状態と、前記洗浄ノズルが前記ケーシング内に後退した待機位置にある状態と、を切り替えるノズル駆動部と、
前記洗浄ノズルを洗浄するノズル洗浄手段と、
を備え、
前記ノズル洗浄手段から吐水される洗浄水は、前記洗浄ノズルの外周面に直接吐水され、且つ前記ノズル洗浄手段から吐水される洗浄水の少なくとも一部は、前記洗浄ノズルの先端面に直接吐水されることを特徴とする衛生洗浄装置。
【請求項２】
前記ノズル洗浄手段から吐水される洗浄水は、前記洗浄ノズルが前記待機位置にあるときに前記先端面に直接吐水されることを特徴とする請求項１記載の衛生洗浄装置。
【請求項３】
前記ノズル洗浄手段から吐水される洗浄水は、前記洗浄ノズルの前記進出および後退の少なくともいずれかの動作時に前記外周面に直接吐水されることを特徴する請求項１または２に記載の衛生洗浄装置。
【請求項４】
前記洗浄ノズルが前記待機位置にあるときに前記ノズル洗浄手段から前記先端面へ吐水される洗浄水は、前記洗浄ノズルの前記進出および後退の少なくともいずれかの動作時には前記外周面に直接吐水されることを特徴する請求項２または３に記載の衛生洗浄装置。
【請求項５】
前記ノズル洗浄手段から吐水される洗浄水は、前記洗浄ノズルの前記後退の動作時に前記洗浄ノズルの外周面に直接吐水され、前記洗浄ノズルが前記待機位置に後退した後に、前記洗浄ノズルの先端面に直接吐水されることを特徴とする請求項１〜４のいずれか１つに記載の衛生洗浄装置。
【請求項６】
前記ノズル洗浄手段は、前記洗浄ノズルに向けて前記洗浄水を吐水する吐水孔を有し、
前記洗浄ノズルが前記待機位置にあるときには、前記先端面は、前記ノズル洗浄手段の前面よりも後方側に位置し、前記吐水孔から吐水される洗浄水の向きは、前記先端面からみて斜め後方であることを特徴とする請求項１〜５のいずれか１つに記載の衛生洗浄装置。
【請求項７】
前記吐水孔は、前記待機位置にある前記洗浄ノズルの先端面よりも前方側に形成されてなることを特徴とする請求項６記載の衛生洗浄装置。
【請求項８】
前記ノズル洗浄手段は、前記吐水孔よりも後方側に形成され前記洗浄水を供給する供給部が接続される接続部と、前記ノズル洗浄手段の内部に形成され前記接続部と前記吐水孔とを連通させる内部流路と、をさらに有することを特徴とする請求項６または７に記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
便座に座った使用者の「おしり」などの身体を洗浄する洗浄ノズルは、その洗浄ノズルなどの所定の機能部品を取り付けるケーシングから少なくとも一部を外部に露出（進出）した状態で身体に洗浄水を噴射する。そのため、洗浄ノズルには汚水や汚物が付着するおそれがある。  
ここで、衛生洗浄装置の清潔さに対する要求は、高くなっている。その中でも洗浄ノズルの清潔さに対する要求は、高まる傾向がある。これに対して、身体洗浄を行う前や行った後において、洗浄ノズルに付着した汚水や汚物を洗い流し除去する衛生洗浄装置がある。これにより、洗浄ノズルは清潔に保たれている。
【０００３】
例えば、ノズルに対し上方から洗浄液を吐出する第１の吐出口と、ノズルに対し側方から洗浄液を吐出する第２の吐出口とを有する洗浄部材を備えた衛生洗浄装置がある（特許文献１）。特許文献１に記載された衛生洗浄装置によれば、局部洗浄によってノズルの上面に付着した汚物は、第１の吐出口から下向きに吐出される洗浄液によって除去され、ノズルの側面に付着した汚物は、第２の吐出口から横向きに吐出される洗浄液によって除去される。
【０００４】
また、待機位置にある洗浄ノズルの上方から洗浄ノズルの上面及び側面に向けて清掃水を噴射する複数個の噴射口をもつ清掃水噴射手段を有するノズル清掃手段を備えた人体局部洗浄装置がある（特許文献２）。特許文献２に記載された人体局部洗浄装置によれば、複数個の噴射口から洗浄ノズルの上面及び側面に清掃水を噴射して強く当てることにより、汚物をはね飛ばしまた汚物を削ぎ落とすようにして清掃し、汚物を確実に洗い流すことができる。
【０００５】
さらに、人体洗浄ノズル用クリーニングノズルを備えた便座装置がある（特許文献３）。特許文献３に記載された便座装置によれば、人体洗浄ノズルをクリーニングすることができる。
【０００６】
しかしながら、特許文献１〜３に記載された装置では、洗浄ノズルの上面や側面に吐出あるいは噴射された水が洗浄ノズルの表面を伝い流れるため、洗浄ノズルの先端面を洗浄する点においては改善の余地がある。
【先行技術文献】
【特許文献】
【０００７】
【特許文献１】特開２０１０−１２７０５９号公報
【特許文献２】特開２００９−７８４９号公報
【特許文献３】特開２００８−２６６８７９号公報
【発明の概要】
【発明が解決しようとする課題】
【０００８】
本発明は、かかる課題の認識に基づいてなされたものであり、洗浄ノズルの全体をより清潔に維持することができる衛生洗浄装置を提供することを目的とする。
【課題を解決するための手段】
【０００９】
第１の発明は、ケーシングと、前記ケーシングから進退自在に設けられ、噴出口から水を噴射して使用者の身体を洗浄する洗浄ノズルと、前記洗浄ノズルを前記進退させ、前記洗浄ノズルが前記ケーシングから進出した動作位置にある状態と、前記洗浄ノズルが前記ケーシング内に後退した待機位置にある状態と、を切り替えるノズル駆動部と、前記洗浄ノズルを洗浄するノズル洗浄手段と、を備え、前記ノズル洗浄手段から吐水される洗浄水は、前記洗浄ノズルの外周面に直接吐水され、且つ前記ノズル洗浄手段から吐水される洗浄水の少なくとも一部は、前記洗浄ノズルの先端面に直接吐水されることを特徴とする衛生洗浄装置である。
【００１０】
この衛生洗浄装置によれば、ノズル洗浄手段から吐水される洗浄水の少なくとも一部は、洗浄ノズルの先端面に直接吐水される。これにより、洗浄ノズルの外周面だけではなく先端面も確実に洗浄することができる。そのため、洗浄ノズルの全体に亘って汚物の付着を抑えることができ、洗浄ノズルの全体をより清潔に維持することができる。
【００１１】
また、第２の発明は、第１の発明において、前記ノズル洗浄手段から吐水される洗浄水は、前記洗浄ノズルが前記待機位置にあるときに前記先端面に直接吐水されることを特徴とする衛生洗浄装置である。
【００１２】
この衛生洗浄装置によれば、洗浄ノズルが待機位置にあるときに、ノズル洗浄手段から吐水される水は、洗浄ノズルの先端面に直接吐水されるため、衛生洗浄装置が大型化することを抑えることができる。すなわち、洗浄ノズルが動作位置にあるときに、洗浄ノズルの先端面に直接吐水させようとすると、動作位置にある洗浄ノズルの先端面よりも前方側から水を吐水する必要がある。そのため、衛生洗浄装置が大型化する場合がある。これに対して、この衛生洗浄装置では、洗浄ノズルが待機位置にあるときに、洗浄ノズルの先端面に直接吐水させるため、衛生洗浄装置が大型化することを抑えることができる。
【００１３】
また、第３の発明は、第１または第２の発明において、前記ノズル洗浄手段から吐水される洗浄水は、前記洗浄ノズルの前記進出および後退の少なくともいずれかの動作時に前記外周面に直接吐水されることを特徴する衛生洗浄装置である。
【００１４】
この衛生洗浄装置によれば、洗浄ノズルが待機位置にあるときに洗浄水が洗浄ノズルの先端面に直接吐水される一方で、洗浄ノズルの進出および後退の少なくともいずれかの動作時には洗浄水は洗浄ノズルの外周面に直接吐水される。洗浄ノズルの全体を確実に洗浄することができる。また、洗浄ノズルの進出および後退の少なくともいずれかの動作時に洗浄ノズルの外周面が洗浄されるため、洗浄ノズルが待機位置に後退してから洗浄ノズルの洗浄を開始する場合よりも洗浄時間を短縮することができる。
【００１５】
また、第４の発明は、第２または第３の発明において、前記洗浄ノズルが前記待機位置にあるときに前記ノズル洗浄手段から前記先端面へ吐水される洗浄水は、前記洗浄ノズルの前記進出および後退の少なくともいずれかの動作時には前記外周面に直接吐水されることを特徴する衛生洗浄装置である。
【００１６】
この衛生洗浄装置によれば、ノズル洗浄手段から吐水される水の吐水方向を変更することなく、洗浄ノズルの位置に応じて洗浄部位を変えることができる。そのため、より簡略化された構造のノズル洗浄手段により、洗浄ノズルの全体を洗浄することができる。
【００１７】
また、第５の発明は、第１〜第４のいずれか１つの発明において、前記ノズル洗浄手段から吐水される洗浄水は、前記洗浄ノズルの前記後退の動作時に前記洗浄ノズルの外周面に直接吐水され、前記洗浄ノズルが前記待機位置に後退した後に、前記洗浄ノズルの先端面に直接吐水されることを特徴とする衛生洗浄装置である。
【００１８】
この衛生洗浄装置によれば、洗浄ノズルは、後退するときに外周面を洗浄されつつ待機位置まで移動し、その後に先端面を洗浄される。そのため、洗浄ノズルの外周面の汚れが先端面に流れて付着しても、先端面に着した汚れは、待機位置において洗い流される。これにより、洗浄ノズルの全体を確実に洗浄することができる。
【００１９】
また、第６の発明は、第１〜第５のいずれか１つの発明において、前記ノズル洗浄手段は、前記洗浄ノズルに向けて前記洗浄水を吐水する吐水孔を有し、前記洗浄ノズルが前記待機位置にあるときには、前記先端面は、前記ノズル洗浄手段の前面よりも後方側に位置し、前記吐水孔から吐水される洗浄水の向きは、前記先端面からみて斜め後方であることを特徴とする衛生洗浄装置である。
【００２０】
この衛生洗浄装置によれば、洗浄ノズルの先端面がノズル洗浄手段の前面よりも後方側に位置した状態において、先端面からみて斜め後方へ向けて吐水孔から洗浄水が吐水される。そのため、より簡単な構造により洗浄ノズルの先端面に洗浄水を直接吐水させることができる。
【００２１】
また、第７の発明は、第６の発明において、前記吐水孔は、前記待機位置にある前記洗浄ノズルの先端面よりも前方側に形成されてなることを特徴とする衛生洗浄装置である。
【００２２】
この衛生洗浄装置によれば、吐水孔は、待機位置にある洗浄ノズルの先端面よりも前方側に形成されている。つまり、吐水孔がノズル洗浄手段の比較的前方側に形成されている。そのため、洗浄ノズルの待機位置を便器からみて比較的後方側に設定しなくとも、洗浄ノズルの先端面に洗浄水を直接吐水させることができる。これにより、衛生洗浄装置が大型化することを抑えることができる。
【００２３】
また、第８の発明は、第６または第７の発明において、前記ノズル洗浄手段は、前記吐水孔よりも後方側に形成され前記洗浄水を供給する供給部が接続される接続部と、前記ノズル洗浄手段の内部に形成され前記接続部と前記吐水孔とを連通させる内部流路と、をさらに有することを特徴とする衛生洗浄装置である。
【００２４】
この衛生洗浄装置によれば、内部流路がノズル洗浄手段の内部に形成されることにより、接続部をノズル洗浄手段の比較的後方側に形成することができる。そのため、給水部をノズル洗浄手段の比較的後方側に配置することができる。そのため、給水部の配置スペースをより広く確保することができる。これにより、ケーシングと給水部との干渉を回避することができ、衛生洗浄装置が大型化することを抑えることができる。
【発明の効果】
【００２５】
本発明の態様によれば、洗浄ノズルの全体をより清潔に維持することができる衛生洗浄装置が提供される。
【図面の簡単な説明】
【００２６】
【図１】本発明の実施の形態にかかる衛生洗浄装置を備えたトイレ装置を表す斜視模式図である。
【図２】本実施形態のノズルユニットを表す斜視模式図である。
【図３】待機状態にある洗浄ノズルを表す断面模式図である。
【図４】待機状態にある洗浄ノズルを表す断面模式図である。
【図５】比較例のノズル洗浄室を表す断面模式図である。
【図６】本実施形態のノズル洗浄室を表す断面模式図である。
【図７】本実施形態のノズル洗浄室を表す斜視模式図である。
【図８】他の実施形態の洗浄ノズルおよびノズル洗浄室を表す断面模式図である。
【図９】他の実施形態の洗浄ノズルおよびノズル洗浄室を表す断面模式図である。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２８】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２９】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させることができる。なお、図１に表した衛生洗浄装置１００では、洗浄ノズル４７３がボウル８０１内に進出した状態を表している。
【００３０】
洗浄ノズル４７３の先端部には、ひとつあるいは複数の噴出口４７４が設けられている。そして、洗浄ノズル４７３は、その先端部に設けられた噴出口４７４から水を噴射して、便座２００に座った使用者の「おしり」などを洗浄することができる。
【００３１】
図２は、本実施形態のノズルユニットを表す斜視模式図である。  
本実施形態のノズルユニット４７０は、ケーシング４００に内蔵されている。ノズルユニット４７０は、基台としての取付台４７５と、取付台４７５に支持された洗浄ノズル４７３と、洗浄ノズル４７３を移動させるノズル駆動部４７６と、洗浄ノズル４７３を洗浄するノズル洗浄室（ノズル洗浄手段）４７８と、を有する。洗浄ノズル４７３は、図２（ａ）および図２（ｂ）に表した矢印Ａのように、ベルトなどの伝動部材４７７を介してノズル駆動部４７６から伝達される駆動力により、取付台４７５に対して摺動自在に設けられている。すなわち、洗浄ノズル４７３は、洗浄ノズル４７３自身の軸方向（進退方向）に直進移動することができる。そして、洗浄ノズル４７３は、ケーシング４００および取付台４７５から進退自在に移動できる。
【００３２】
ノズル駆動部４７６は、洗浄ノズル４７３がケーシング４００から便器８００のボウル８０１内に進出した動作位置にある状態と、洗浄ノズル４７３がケーシング４００内に後退した待機位置にある状態と、を切り替えることができる。洗浄ノズル４７３が待機位置にあるときには、洗浄ノズル４７３の先端面４７３ｂは、図２（ａ）および図２（ｂ）に表したように、ノズル洗浄室４７８の前面４７８ａよりも後方側に位置している。つまり、洗浄ノズル４７３がケーシング４００に収納され待機位置にある状態では、洗浄ノズル４７３の先端面４７３ｂは、ノズル洗浄室４７８の中にほぼ収容されている。そのため、ノズル洗浄室４７８は、洗浄ノズル４７３が待機位置にあるときに、内部に設けられた吐水孔４７８ｄ（図３参照）から水を吐水することにより洗浄ノズル４７３の先端面４７３ｂを洗浄することができる。また、ノズル洗浄室４７８は、洗浄ノズル４７３の進退時において吐水孔４７８ｄから水を吐水することにより、洗浄ノズル４７３の外周面（胴体）４７３ａを洗浄することができる。
【００３３】
図３および図４は、待機状態にある洗浄ノズルを表す断面模式図である。  
なお、図３は、図２に表した切断面Ｂ−Ｂにおける断面模式図であり、図４は、図２に表した切断面Ｃ−Ｃにおける断面模式図である。また、図３は、ノズルユニット４７０がケーシング４００に内蔵された状態を表している。
【００３４】
ノズル洗浄室４７８は、図３に表したように、取付台４７５に対して固定され、ケーシング４００の内部に設けられている。ノズル洗浄室４７８には、図４に表したように、ノズル洗浄室４７８の外側に向かって突出した接続部４７８ｂが設けられている。接続部４７８ｂには、洗浄ノズル４７３を洗浄する水を供給する給水部４５０が接続されている。
【００３５】
ノズル洗浄室４７８の内部には、図３に表したように、給水部４５０および接続部４７８ｂの内部を通して給水された水を導く内部流路４７８ｃが設けられている。内部流路４７８ｃは、接続部４７８ｂから前方側へ向かって設けられている。そして、内部流路４７８ｃの一端には、洗浄ノズル４７３に向けて水を吐水する吐水孔４７８ｄが形成されている。つまり、吐水孔４７８ｄは、ノズル洗浄室４７８の上部であって接続部４７８ｂよりも前方側に形成されている。内部流路４７８ｃは、接続部４７８ｂと吐水孔４７８ｄとを連通させ、給水部４５０から給水された水を接続部４７８ｂを介して吐水孔４７８ｄへ導く。
【００３６】
内部流路４７８ｃを通った水は、洗浄ノズル４７３の先端面４７３ｂからみて斜め方向に吐水孔４７８ｄから吐水される。言い換えれば、内部流路４７８ｃを通った水は、洗浄ノズル４７３の先端面４７３ｂの法線４７３ｃに対して斜め方向に吐水孔４７８ｄから吐水される。そして、吐水孔４７８ｄから吐水された水は、図３に表した矢印Ｄのように、後方側へ向かう。ここで、図３に表したように、洗浄ノズル４７３が待機位置にあるときには、洗浄ノズル４７３の先端面４７３ｂは、吐水孔４７８ｄよりも後方側に位置している。そのため、洗浄ノズル４７３が待機位置にあるときに、吐水孔４７８ｄから吐水された水の少なくとも一部は、洗浄ノズル４７３の先端面４７３ｂに直接吐水される。
【００３７】
本願明細書において「直接吐水」とは、例えばノズル洗浄室４７８などの洗浄手段から空間に吐水された水が、ある物体から何らの障害を受けることなく洗浄ノズル４７３などの対象物に直接的に着水することをいうものとする。
【００３８】
これによれば、洗浄ノズル４７３の先端面４７３ｂを確実に洗浄することができる。そのため、洗浄ノズル４７３の先端面４７３ｂをより清潔に維持することができる。また、洗浄ノズル４７３が待機位置にあるときに、吐水孔４７８ｄから吐水された水は、洗浄ノズル４７３の先端面４７３ｂに直接吐水されるため、衛生洗浄装置１００が大型化することを抑えることができる。すなわち、洗浄ノズル４７３が動作位置（進出位置）にあるときに、洗浄ノズル４７３の先端面４７３ｂに水を直接吐水させようとすると、動作位置にある洗浄ノズル４７３の先端面４７３ｂよりも前方側から水を吐水する必要がある。そのため、衛生洗浄装置１００が大型化する場合がある。これに対して、本実施形態では、洗浄ノズル４７３が待機位置にあるときに、洗浄ノズル４７３の先端面４７３ｂに水を直接吐水させるため、衛生洗浄装置１００が大型化することを抑えることができる。
【００３９】
また、洗浄ノズル４７３の先端面４７３ｂが吐水孔４７８ｄよりも後方側に位置した状態において、吐水孔４７８ｄから後方側へ向けて水が吐水されるため、より簡単な構造により洗浄ノズル４７３の先端面４７３ｂに水を直接吐水させることができる。  
さらに、吐水孔４７８ｄがノズル洗浄室４７８の比較的前方側に設けられているため、洗浄ノズル４７３の待機位置を便器８００からみて比較的後方側に設定しなくとも、洗浄ノズル４７３の先端面４７３ｂに水を直接吐水させることができる。そのため、衛生洗浄装置１００が大型化することを抑えることができる。  
またさらに、内部流路４７８ｃがノズル洗浄室４７８の内部に設けられることにより、接続部４７８ｂをノズル洗浄室４７８の比較的後方側に設けることができる。そのため、給水部４５０をノズル洗浄室４７８の比較的後方側に配置することができる。そのため、給水部４５０の配置スペースをより広く確保することができる。これにより、ケーシング４００と給水部４５０との干渉を回避することができ、衛生洗浄装置１００が大型化することを抑えることができる。
【００４０】
図５は、比較例のノズル洗浄室を表す断面模式図である。  
なお、図５（ａ）は、洗浄ノズル４７３の先端面４７３ｂとノズル洗浄室５７８の前面５７８ａとが同一面にある場合を表す断面模式図であり、図５（ｂ）は、洗浄ノズル４７３の先端面４７３ｂが吐水孔５７８ｄよりも後方側にある場合を表す断面模式図である。また、図５（ａ）および図５（ｂ）は、図２に表した切断面Ｃ−Ｃにおける断面模式図に相当する。
【００４１】
本比較例のノズル洗浄室５７８の内部には、本実施形態のノズル洗浄室４７８のようには内部流路は設けられていない。接続部５７８ｂの一端は、洗浄ノズル４７３へ向けて水を吐水する吐水孔５７８ｄとして機能する。吐水孔５７８ｄは、接続部５７８ｂよりも前方側に形成されているというわけではない。そして、接続部５７８ｂを通った水は、図５（ａ）および図５（ｂ）に表した矢印Ｅのように、洗浄ノズル４７３の先端面４７３ｂに並行して吐水孔４７８ｄから吐水される。言い換えれば、接続部５７８ｂを通った水は、洗浄ノズル４７３の先端面４７３ｂの法線４７３ｃに対して垂直方向に吐水孔４７８ｄから吐水される。
【００４２】
図５（ａ）に表した比較例では、洗浄ノズル４７３が待機位置にあるとき又は進退時には、洗浄ノズル４７３の先端面４７３ｂと、ノズル洗浄室５７８の前面５７８ａと、は同一面にある。吐水孔４７８ｄから吐水された水は、洗浄ノズル４７３の先端面４７３ｂには直接吐水されず、洗浄ノズル４７３の外周面４７３ａに直接吐水される。そして、洗浄ノズル４７３の外周面４７３ａに直接吐水された水は、洗浄ノズル４７３の外周面４７３ａを伝い流れ先端面４７３ｂに到達する。しかしながら、洗浄ノズル４７３の先端面４７３ｂを確実に洗浄し、より清潔に維持するという点においては改善の余地がある。
【００４３】
また、図５（ｂ）に表した比較例では、洗浄ノズル４７３が待機位置にあるときには、洗浄ノズル４７３の先端面４７３ｂは、吐水孔５７８ｄよりも後方側に位置している。吐水孔４７８ｄから吐水された水は、洗浄ノズル４７３の先端面４７３ｂに並行するため、洗浄ノズル４７３の先端面４７３ｂと接触する。しかしながら、洗浄ノズル４７３の先端面４７３ｂを積極的に洗浄し、より清潔に維持するという点においては改善の余地がある。
【００４４】
これに対して、本実施形態では、内部流路４７８ｃを通った水は、洗浄ノズル４７３の先端面４７３ｂからみて斜め方向に吐水孔４７８ｄから吐水される。言い換えれば、内部流路４７８ｃを通った水は、洗浄ノズル４７３の先端面４７３ｂの法線４７３ｃに対して斜め方向に吐水孔４７８ｄから吐水される。そして、吐水孔４７８ｄから吐水された水の少なくとも一部は、待機位置にある洗浄ノズル４７３の先端面４７３ｂに直接吐水される。これにより、洗浄ノズル４７３の先端面４７３ｂを確実に洗浄することができる。そのため、洗浄ノズル４７３の先端面４７３ｂをより清潔に維持することができる。
【００４５】
図６は、本実施形態のノズル洗浄室を表す断面模式図である。  
また、図７は、本実施形態のノズル洗浄室を表す斜視模式図である。  
なお、図６（ａ）は、洗浄ノズル４７３が進退しているときの状態を表す断面模式図であり、図６（ｂ）は、洗浄ノズル４７３が待機位置にあるときの状態を表す断面模式図である。また、図６および図７は、図２に表した切断面Ｂ−Ｂにおける断面模式図である。
【００４６】
図３および図４に関して前述したように、内部流路４７８ｃを通った水は、洗浄ノズル４７３に向かって吐水孔４７８ｄから吐水される。そのため、図６（ａ）および図７に表したように、洗浄ノズル４７３が便器８００のボウル８０１内に進出するとき及びケーシング４００内に後退するときの少なくともいずれかにおいて、吐水孔４７８ｄから吐水された水の少なくとも一部は、洗浄ノズル４７３の外周面４７３ａに直接吐水される。  
これによれば、洗浄ノズル４７３の外周面４７３ａを確実に洗浄することができる。そのため、洗浄ノズル４７３の外周面４７３ａをより清潔に維持することができる。
【００４７】
また、洗浄ノズル４７３が待機位置に後退すると、図６（ｂ）に表したように、吐水孔４７８ｄから吐水された水の少なくとも一部は、洗浄ノズル４７３の先端面４７３ｂに直接吐水される。  
これによれば、洗浄ノズル４７３の先端面４７３ｂを確実に洗浄することができる。そのため、洗浄ノズル４７３の先端面４７３ｂをより清潔に維持することができる。
【００４８】
また、吐水孔４７８ｄから吐水された水は、洗浄ノズル４７３の外周面４７３ａおよび先端面４７３ｂに直接吐水されるため、洗浄ノズル４７３の全体を確実に洗浄することができる。  
さらに、洗浄ノズル４７３の進退時において、洗浄ノズル４７３の外周面４７３ａに水が直接吐水されるため、洗浄ノズル４７３が待機位置に後退してから洗浄ノズル４７３の洗浄を開始する場合よりも洗浄時間を短縮することができる。  
またさらに、吐水孔４７８ｄから吐水される水の吐水方向（矢印Ｄ）を変更することなく、洗浄ノズル４７３の位置に応じて洗浄部位を変えることができる。そのため、１つの吐水孔４７８ｄにより、洗浄ノズル４７３の全体を洗浄することができる。これにより、ノズル洗浄室４７８の構造をより簡略化することができる。  
またさらに、洗浄ノズル４７３は、後退するときに外周面４７３ａを洗浄されつつ待機位置まで移動し、その後に先端面４７３ｂを洗浄される。そのため、洗浄ノズル４７３の外周面４７３ａの汚れが先端面４７３ｂに流れて付着しても、先端面４７３ｂに着した汚れは、待機位置において洗い流される。これにより、洗浄ノズル４７３の全体を確実に洗浄することができる。
【００４９】
次に、本発明の他の実施の形態について説明する。  
図８および図９は、他の実施形態の洗浄ノズルおよびノズル洗浄室を表す断面模式図である。  
なお、図８（ａ）は、図６および図７に関して前述したノズル洗浄室４７８の吐水孔近傍を拡大して眺めた拡大模式図であり、図８（ｂ）は、他の実施形態のノズル洗浄室４８８の吐水孔近傍を拡大して眺めた拡大模式図である。また、図８および図９は、図２に表した切断面Ｂ−Ｂにおける断面模式図に相当する。
【００５０】
図８（ａ）に表したノズル洗浄室４７８において、内部流路４７８ｃを通った水は、洗浄ノズル４７３の先端面４７３ｂからみて斜め方向に吐水孔４７８ｄから吐水される。言い換えれば、内部流路４７８ｃを通った水は、洗浄ノズル４７３の先端面４７３ｂの法線４７３ｃに対して斜め方向に吐水孔４７８ｄから吐水される。そして、吐水孔４７８ｄから吐水された水は、図８に表した矢印Ｄのように、後方側へ向かう。これは、図３および図４に関して前述した如くである。
【００５１】
これに対して、本実施形態では、洗浄ノズル４８３の先端面４８３ｂは、図９に表したように、吐水孔４８８ｄを仰ぐ方向に傾斜している。言い換えれば、図９に表した断面模式図において、先端面４８３ｂの上端４８３ｅは、先端面４８３ｂの下端４８３ｆよりも後退した位置に形成されている。また、洗浄ノズル４８３が待機位置にあるときには、洗浄ノズル４８３の先端面４８３ｂは、吐水孔４８８ｄよりも後方側に位置している。
【００５２】
図８（ａ）および図９に表したノズル洗浄室４８８において、接続部４８８ｂを介して内部流路４８８ｃを通った水は、洗浄ノズル４８３の先端面４８３ｂからみて斜め方向に吐水孔４８８ｄから吐水される。言い換えれば、接続部４８８ｂを介して内部流路４８８ｃを通った水は、洗浄ノズル４８３の先端面４８３ｂの法線４８３ｃに対して斜め方向に吐水孔４８８ｄから吐水される。つまり、吐水孔４８８ｄから吐水された水は、図８（ｂ）および図９に表した矢印Ｆのように、洗浄ノズル４８３の軸４８３ｄに対して垂直方向に向かう。その他の構造は、図２〜図４に関して前述した洗浄ノズル４７３およびノズル洗浄室４７８の構造と同様である。
【００５３】
本実施形態によれば、洗浄ノズル４８３の先端面４８３ｂが吐水孔４８８ｄを仰ぐ方向に傾斜しているため、洗浄ノズル４８３が待機位置にあるときに及び進退時に、吐水孔４８８ｄから吐水された水の少なくとも一部は、洗浄ノズル４８３の先端面４８３ｂに直接吐水される。これにより、洗浄ノズル４８３の先端面４８３ｂを確実に洗浄することができる。そのため、洗浄ノズル４８３の先端面４８３ｂをより清潔に維持することができる。
【００５４】
以上説明したように、本発明の実施の形態によれば、ノズル洗浄室４７８の吐水孔４７８ｄから吐水された水の少なくとも一部は、洗浄ノズル４７３の先端面４７３ｂおよび外周面４７３ａに直接吐水される。そのため、洗浄ノズル４７３の先端面４７３ｂおよび外周面４７３ａを確実に洗浄することができる。そのため、洗浄ノズル４７３の全体をより清潔に維持することができる。
【００５５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズル洗浄室４７８などが備える各要素の形状、寸法、材質、配置などや内部流路４７８ｃや吐水孔４７８ｄの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５６】
１００ 衛生洗浄装置、  ２００ 便座、  ３００ 便蓋、  ４００ ケーシング、  ４０４ 着座検知センサ、  ４５０ 給水部、  ４７０ ノズルユニット、  ４７３ 洗浄ノズル、  ４７３ａ 外周面、  ４７３ｂ 先端面、  ４７３ｃ 法線、  ４７４ 噴出口、  ４７５ 取付台、  ４７６ ノズル駆動部、  ４７７ 伝動部材、  ４７８ ノズル洗浄室、  ４７８ａ 前面、  ４７８ｂ 接続部、  ４７８ｃ 内部流路、  ４７８ｄ 吐水孔、  ４８３ 洗浄ノズル、  ４８３ｂ 先端面、  ４８３ｃ 法線、  ４８３ｄ 軸、  ４８３ｅ 上端、  ４８３ｆ 下端、  ４８８ ノズル洗浄室、  ４８８ｂ 接続部、  ４８８ｃ 内部流路、  ４８８ｄ 吐水孔、  ５７８ ノズル洗浄室、  ５７８ａ 前面、  ５７８ｂ 接続部、  ５７８ｄ 吐水孔、  ８００ 洋式腰掛便器、  ８０１ ボウル
【図１】
0005467528.tif 000002
【図２】
0005467528.tif 000003
【図３】
0005467528.tif 000004
【図４】
0005467528.tif 000005
【図５】
0005467528.tif 000006
【図６】
0005467528.tif 000007
【図７】
0005467528.tif 000008
【図８】
0005467528.tif 000009
【図９】
0005467528.tif 000010